(57)【特許請求の範囲】
【請求項１】
配管に取り付けられる継手であって、中空の筒体に形成されており、軸方向一端部に、雄ネジが形成された配管に連結可能な雌ネジ部を有し、軸方向他端部に、雌ネジが形成された配管に連結可能な雄ネジ部を有するとともに、
筒体内部に、フランジ部を備えた節水コマを収納する収納機構が設けられており、
収納機構が、コマ本体を収納する収納部と、フランジ部を受け止める支持部とを備え、支持部が収納部の両側に形成されていることを特徴とする継手。
【請求項２】
外径が、取り付けられる配管の外径と同径であることを特徴とする請求項１記載の継手。
【発明の詳細な説明】
【０００１】
【発明の属する技術分野】
本発明は、配管に取り付けられる継手に関するもので、特に節水コマを給水流路中に取り付けるための継手に関するものである。
【０００２】
【従来の技術】
従来、水栓などの流量調節開閉栓を備えた水道設備の利用において、往々にして水栓を必要以上に開き、水を無駄に放出してしまっている。そこで、水の無駄な放出を防止するための節水コマＡが開発され、図８、図９に示すように、蛇口部材Ｃの内部や、袋ナット等の連結金具Ｄにより連結される配管の連結部分に取り付けられて、節水効果を発揮している。
【０００３】
【発明が解決しようとする課題】
しかしながら、上記の節水コマＡの取り付け箇所は、水道の蛇口部材Ｃの内部や連結金具Ｄによる連結部分などに限定されており、配管の途中の任意の箇所に取り付けることはできないという不具合がある。
【０００４】
本発明は上記問題点に鑑みて提案されたものであって、節水コマを配管の途中の任意の箇所に簡単に取り付けることのできる継手を提供することを目的とする。
【０００５】
【課題を解決するための手段】
以上の目的を達成するために、本発明の継手は、配管に取り付けられる継手であって、中空の筒体に形成されており、軸方向一端部に、雄ネジが形成された配管に連結可能な雌ネジ部を有し、軸方向他端部に、雌ネジが形成された配管に連結可能な雄ネジ部を有するとともに、筒体内部に、フランジ部を備えた節水コマを収納する収納機構が設けられており、収納機構が、コマ本体を収納する収納部と、フランジ部を受け止める支持部とを備え、支持部が収納部の両側に形成されているものである。
また、継手の外径は、取り付けられる配管の外径と同径であってもよい。
【０００６】
【発明の実施の形態】
以下に、本発明の継手の一実施形態について詳細に説明する。
【０００７】
本実施の形態の継手１は、ステンレス製で、ネジ機構により連結される配管の連結部に取り付けられるものである。
基本的には、図１に示すように、中空の円筒体に形成され、軸方向一端部に雌ネジ部５を備え、軸方向他端部に雄ネジ部６を備えており、内部に、後述するパッキン７と節水コマＡとを収納する収納手段としての収納機構８を有している。
【０００８】
収納機構８は、パッキン７が装着される環状のパッキン装着部８１と、節水コマＡのフランジ部Ａ２を支持する支持部としての環状のフランジ支持部８２、８４と、節水コマＡの本体部Ａ３を収納可能な収納部としての本体収納部８３とを備えている。
パッキン装着部８１は、雌ネジ部５の下方に内周面に沿って設けられており、フランジ支持部８２は、パッキン装着部８１の下方に設けられており、パッキン装着部８１よりも小径に形成されている。フランジ支持部８２の下方には、筒状に形成された本体収納部８３が設けられている。
一方、雄ネジ部６側の端部にも、前記フランジ支持部８２と同じ形状のフランジ支持部８４が形成されている。
【０００９】
次に、本実施形態の継手１の使用例について説明する。
継手１は、例えば、図２、図３に示すように、先端開口部３にステンレス製の整流器４を螺着してなる水道の蛇口部分に取り付けられる。
具体的には、図４、図５に示すように、まず、継手１の雌ネジ部５を先端開口部３に対向配置し、雌ネジ部５側から節水コマＡを挿入し、フランジ支持部８２に節水コマＡのフランジ部Ａ２を支持させた状態で収納する。節水コマＡ収納後、同様にしてパッキン７を挿入し、パッキン７をパッキン装着部８１に装着する。
次に、蛇口本体２の先端開口部３に形成された雄ネジ（以下、蛇口側雄ネジ部３１という）に継手１の雌ネジ部５を螺合させて、蛇口本体２に継手１を取り付け、継手１の軸方向他端部に設けた雄ネジ部６に、整流器４に形成された雌ネジ（以下、整流器側雌ネジ部４１という）を螺合させて、整流器４を継手１に取り付けて、継手１を蛇口本体２と整流器４との間に取り付ける。
【００１０】
以上のように、本実施の形態の継手１は、内部に節水コマAを収納する収納機構８を有し、軸方向一端部に、連結する一方の配管の端部に取り付け可能な雌ネジ部５が形成されているとともに、軸方向他端部に、連結する他方の配管の端部に取り付け可能な雄ネジ部６が形成されているため、水道の蛇口の先端開口部３に形成された蛇口側雄ネジ部３１を利用して節水コマＡを蛇口に取り付けることができる。また、継手１の取り付け作業は、手でできるため、専用の工具も力仕事も不要であり、誰でも手軽に簡単に行うことができる。
【００１１】
また、収納機構８が、パッキン装着部８１と、節水コマＡのフランジ部Ａ２を支持するフランジ支持部８２，８４と、節水コマＡの本体部Ａ３を収納する本体収納部８３とを備えているので、継手１の軸方向両端部のどちら側からも節水コマＡを継手１の内部に収納することができる。したがって、例えば、蛇口の先端開口部３が雌ネジである場合には、継手１の上下を反転させて、雄ネジ部６を蛇口の先端開口部３の雌ネジに螺合させれば、継手１を蛇口に連結することができる。なお、パッキン７は、継手１の軸方向他端部側の端面１１に装着させる。
【００１２】
また、パッキン装着部８１とフランジ支持部８２は、内壁面に沿って環状に設けられているので、装着されたパッキン７と節水コマＡの左右方向への位置ずれが生じにくい。
【００１３】
なお、継手１の取り付け箇所は、蛇口本体２の先端開口部３に限定されるものではなく、例えば、図６に示すように、ネジ機構により連結されている配管９、１０の連結部分に取り付けてもよい。さらに、図７に示すように、配管１１，１２が袋ナット１３により連結されている部分にも取り付けることができる。また、継手１の取り付け箇所は、配管の連結部分に限定されることはなく、配管の一部を切断して、その切断部分にネジ機構を形成すれば、継手１を配管の任意の箇所に取り付けることができる。
【００１４】
また、継手１の材質は、ステンレスに限定されず、連結される配管のねじ山を潰さない程度の硬さを有する材質であればよく、連結される配管の材質と同じ材質にするのが好ましい。したがって、例えば、整流器４が真鍮製である場合には、継手１の材質も整流器４の材質と同じく真鍮とすればよい。また、整流器４がプラスチック製である場合には、同様に継手１の材質もプラスチックとすればよい。
【００１５】
また、継手１の外径は、蛇口本体２の先端開口部３の外径と同径であるのが好ましく、このようにすれば、継手１を蛇口本体２に取り付けた際に、外周面に凹凸が生じないため、見た目がすっきりとして、汚れも付着しにくい。
【００１６】
【発明の効果】
本発明の継手は、軸方向一端部に、雄ネジが形成された配管に連結可能な雌ネジ部を有し、軸方向他端部に、雌ネジが形成された配管に連結可能な雄ネジ部を有しているので、配管に形成されているネジが雄雌いずれの形状であっても継手を配管に連結することができる。また、筒体内部に、フランジ部を備えた節水コマを収納する収納機構が設けられており、収納機構が、コマ本体を収納する収納部と、フランジ部を受け止める支持部とを備え、支持部が収納部の両側に形成されているので、継手の軸方向両端部のどちら側からも節水コマを収納部に容易かつ確実に収納することができる。
したがって、配管に形成されているネジの形状が雄雌いずれの場合であっても、配管に予め形成されているネジを利用して、継手を配管に連結することができる。
また、請求項２記載の発明によれば、継手の外径が、取り付けられる配管の外径と同径であるので、継手を配管に取り付けた際に、外周面に凹凸が生じないため、汚れが付着しにくいという利点がある。
【図面の簡単な説明】
【図１】本発明にかかる一実施形態の継手の縦断面図
【図２】本実施形態の継手の使用状態を示す説明図
【図３】本実施形態の継手の使用状態を示す説明図
【図４】本実施形態の継手の使用状態における縦断面図
【図５】本実施形態の継手の使用状態を示す分解斜視図
【図６】本実施形態の継手の他の使用状態を示す説明図
【図７】本実施形態の継手の他の使用状態を示す説明図
【図８】従来の節水コマの取り付け状態を示す説明図
【図９】従来の節水コマの取り付け状態を示す説明図
【符号の説明】
１      継手
２      蛇口本体（配管）
３１    蛇口側雄ネジ部（雄ネジ）
４      整流器（配管）
５      雌ネジ部
８      収納機構
８２    フランジ支持部（支持部）
８３    本体収納部（収納部）
Ａ      節水コマ
Ａ２    フランジ部
Ａ３    本体部（コマ本体）
９      配管
１０    配管
１１    配管
１２    配管
【図１】
0003631968.tif 000002
【図２】
0003631968.tif 000003
【図３】
0003631968.tif 000004
【図４】
0003631968.tif 000005
【図５】
0003631968.tif 000006
【図６】
0003631968.tif 000007
【図７】
0003631968.tif 000008
【図８】
0003631968.tif 000009
【図９】
0003631968.tif 000010